(57)【要約】【課題】  あまり手間がかからず、確実にヤスデとくにヤンバルトサカヤスデが家の中に侵入することを防げるヤスデ返し器具を提供する。【解決手段】  ヤスデ返し器具が、帯状の平面部と、その帯状の平面部の上側エッジに沿って設けられたヤスデ返し用の曲面部とを有する。帯状の平面部が家屋の基礎部の壁面のまわりに水平方向に沿って延びるように、垂直方向の沿って延びる、家屋の基礎部の壁面に帯状の平面部の裏面が固定される。家屋の基礎部の壁面の下方から来たヤスデは、帯状の平面部の下側エッジを越えて帯状の平面部の表面に這上がり更に上側帯状の平面部エッジを越えてヤスデ返し用の曲面部の内側表面（曲面）を這っていく間に、落下する。【選択図】  図１
0003166959.tif 000002
【実用新案登録請求の範囲】
【請求項１】
帯状の平面部と、その帯状の平面部の上側エッジに沿って設けられたヤスデ返し用の曲面部とを有し、帯状の平面部が水平方向に沿って延びるように、垂直方向の沿って延びる壁面に帯状の平面部の裏面を固定し、壁面の下方から来たヤスデが帯状の平面部の下側エッジを越えて帯状の平面部の表面に這上がり更に上側帯状の平面部エッジを越えてヤスデ返し用の曲面部を這っていく間に、ヤスデを落下させることを特徴とするヤスデ返し器具。
【請求項２】
帯状の平面部とヤスデ返し用の曲面部が１枚のビニール材料で作られていることを特徴とする請求項１に記載のヤスデ返し器具。
【請求項３】
ヤスデ返し用の曲面部の内側の途中に、ヤスデ返し用の曲面部を通過していこうとするヤスデに刺激を与えるためのニクロム線が、帯状の平面部の長手方向に沿って設けられていることを特徴とする請求項１又は２に記載のヤスデ返し器具。
【請求項４】
帯状の平面部の裏面に粘着剤が設けられていて、その粘着剤によって帯状の平面部を壁面に固定できることを特徴する請求項１〜３のいずれかに記載のヤスデ返し器具。
【請求項５】
帯状の平面部が、家屋の基礎部の壁面に固定されることを特徴とする請求項１〜４のいずれか１項に記載のヤスデ返し器具。
【請求項６】
帯状の平面部が、ヤスデ返し用の曲面部と一緒に、ロール状に巻かれることにより収納可能になっていることを特徴とする請求項１〜５のいずれか１項に記載のヤスデ返し器具。
【考案の詳細な説明】
【技術分野】
【０００１】
本考案は、ヤスデ、とくにヤンバルトサカヤスデを処理するためのヤスデ返し器具に関する。
【背景技術】
【０００２】
従来、ヤンバルトサカヤスデは、奄美地域や南薩地方で発生していたが、最近は、これらの地域以外でも発生することが心配されている。
【０００３】
ヤンバルトサカヤスデは、本来は益虫であり、農作物に被害を与えたり、人に害を与えたりするものではないが、数が多大になると、不快感を与えるようになる。とくに著しい数のヤンバルトサカヤスデが家屋の周辺で群遊して、壁や塀を這上ったり、家屋の中に侵入したりすると、不快感が大きくなる。
【０００４】
特許文献１においては、ヤスデ等を害虫として殺すための害虫防除具、害虫防除材及び害虫防除方法が提案されている。特許文献２においては、ヤスデ等を麻痺或いは死亡させることが提案されている。
【先行技術文献】
【特許文献】
【０００５】
【特許文献１】特開２００９−１７８１１６
【特許文献２】特開平１１−１８７８０１
【考案の概要】
【考案が解決しようとする課題】
【０００６】
ヤンバルトサカヤスデは、絶滅させるのが困難であり、共生していかなければならない生物であると考えられる。共生のためには、最低限としてヤンバルトサカヤスデが家の中へ侵入することを防ぐ必要がある。
【０００７】
このような観点から、現状は、ブロック等の壁にステンレスの板（幅１２ｃｍ程度）を貼り付け、板の表面でヤンバルトサカヤスデをすべらせたり、家屋の周辺で薬剤を散布している。
【０００８】
しかし、ステンレス板の場合、表面を常にきれいにしておく必要があり、そのため、維持管理が面倒で、手間がかかった。また、ステンレス板は、曲がり加工が難しかった。
【０００９】
そこで、本考案は、あまり手間がかからず、確実にヤスデとくにヤンバルトサカヤスデが家の中に侵入することを防げるヤスデ返し器具を提供することを目的とする。
【課題を解決するための手段】
【００１０】
本考案の解決手段を例示すると、次のとおりである。
【００１１】
（１）帯状の平面部と、その帯状の平面部の上側エッジに沿って設けられたヤスデ返し用の曲面部とを有し、帯状の平面部が水平方向に沿って延びるように、垂直方向の沿って延びる壁面に帯状の平面部の裏面を固定し、壁面の下方から来たヤスデが帯状の平面部の下側エッジを越えて帯状の平面部の表面に這上がり更に上側帯状の平面部エッジを越えてヤスデ返し用の曲面部を這っていく間に、ヤスデを落下させることを特徴とするヤスデ返し器具。
【００１２】
（２）帯状の平面部とヤスデ返し用の曲面部が１枚のビニール材料で作られていることを特徴とする前述のヤスデ返し器具。
【００１３】
（３）ヤスデ返し用の曲面部の内側の途中に、ヤスデ返し用の曲面部を通過していこうとするヤスデに刺激を与えるためのニクロム線が、帯状の平面部の長手方向に沿って設けられていることを特徴とする前述のヤスデ返し器具。
【００１４】
（４）帯状の平面部の裏面に粘着剤が設けられていて、その粘着剤によって帯状の平面部を壁面に固定できることを特徴する前述のヤスデ返し器具。
【００１５】
（５）帯状の平面部が、家屋の基礎部の壁面に固定されることを特徴とする前述のヤスデ返し器具。
【００１６】
（６）帯状の平面部が、ヤスデ返し用の曲面部と一緒に、ロール状に巻かれることにより収納可能になっていることを特徴とする前述のヤスデ返し器具。
【考案の効果】
【００１７】
本考案によれば、帯状の平面部と、その帯状の平面部の上側エッジに沿って設けられたヤスデ返し用の曲面部とを有するので、帯状の平面部が水平方向に沿って延びるように、垂直方向の沿って延びる家屋の基礎部の壁面に帯状の平面部の裏面を固定すると、壁面の下方から来たヤスデが帯状の平面部の下側エッジを越えて帯状の平面部の表面に這上がり更に上側帯状の平面部エッジを越えてヤスデ返し用の曲面部を這っていく間に、ヤスデを落下させることができる。
【００１８】
ヤスデ返し器具をビニール材料で作ると、曲がりなどの加工がしやすく（切り貼りが容易）、子供等が接触してもソフトであり、安全性が高く、かつ、切り貼りの加工が簡単である。
【００１９】
また、ヤスデ返し用の曲面部の内側表面の途中に、ヤスデ返し用の曲面部を通過していこうとするヤスデに刺激を与えるためのニクロム線が、帯状の平面部の長手方向に沿って設けられていると、ヤンバルトサカヤスデは、少しの熱的又は電気的刺激で丸くなるので、万が一ヤスデ返しを通過してしまいそうな場合であっても、ヤンバルトサカヤスデに熱又は電気の刺激を付与して落すことができる。あくまでもヤンバルトサカヤスデの侵入防止なので、強力な電流は必要とせず、微弱電流でもよいので、安全である。
【００２０】
また、帯状の平面部の裏面に粘着剤が設けられていると、帯状の長いヤスデ返し器具を所望の長さに切断して、粘着剤によって帯状の平面部を壁面に簡単に固定できる。それゆえ、ヤスデ返し器具を家屋の基礎部の外側壁面の全周にわたって配置する場合でも、容易に配置でき、設置にあまり手間がかからない。使用後にヤスデ返し器具を除去することも容易である。
【００２１】
また、ヤスデ返し器具が、帯状の平面部とヤスデ返し用の曲面部とを一緒にロール状に巻いて収納できるようになっていると、使用前の非常に長いヤスデ返し器具を収納することが簡便かつコンパクトとなる。
【図面の簡単な説明】
【００２２】
【図１】本考案によるヤスデ返し器具の一例を示す説明図。
【図２】本考案によるヤスデ返し器具を使用した、家屋のヤスデ返し施工例を示す説明図。
【図３】本考案によるヤスデ返し器具をロール状に巻いて収納する例を示す説明図。
【考案を実施するための形態】
【００２３】
図１〜２は、本考案によるヤスデ返し器具の１つの実施例を示す。
【００２４】
本考案においては、ヤスデ返し器具１０は、帯状の平面部１２と、その帯状の平面部１２の上側エッジ１２ａに沿って設けられたヤスデ返し用の曲面部１４とを有する。帯状の平面部１２が家屋１６（図２）の基礎部１８の回りに水平方向に沿って延びるように、垂直方向の沿って延びる基礎部１８の外側壁面に帯状の平面部１２の裏面を固定し、基礎部１８の外側壁面の下方から来たヤスデ２０が帯状の平面部１２の下側エッジ１２ｂを越えて帯状の平面部１２の表面を這上がり更に帯状の平面部１２の上側エッジ１２ａを越えてヤスデ返し用の曲面部１４の内側表面（曲面）を這っていく間に、ヤスデ２０は自重で自然に落下する。
【００２５】
帯状の平面部１２のみの幅、又は帯状の平面部１２と曲面部１４の合計の幅Ｗは、１０ｃｍ程度にするのが好ましい。
【００２６】
ヤスデ返し器具は、ビニール材料で作るのが好ましい。ビニール材料を使う理由は、曲がりなどの加工がしやすく（切り貼りが容易）、子供等が接触してもソフトであるからであり、さらに、家の基礎部１８の壁面は凹凸があるので、切り貼り加工が簡単な材質が良いからである。とくに、帯状の平面部１２とヤスデ返し用の曲面部１４が１枚のビニール材料で作られていることが最良である。
【００２７】
ヤスデ２０は不快虫として人間にストレスを与えるので、図２に示すように、家屋１６への侵入を防ぐため、ブロック等の外壁２２の外周はステンレス板２４で防ぎ、住宅の基礎部１８に加工を加えて、その外側壁面に本発明のヤスデ返し器具１０を設けるのが好ましい。
【００２８】
また、好ましくは、ヤスデ返し用の曲面部１４の内側表面（曲面）の途中に、ヤスデ返し用の曲面部１４を通過していこうとするヤスデ２０に刺激を与えるために、ニクロム線２６が、帯状の平面部１４の長手方向に沿って設けられている。
【００２９】
図１において、符号３０で示すように、ヤスデ２０は、少しの刺激で丸くなるので、万が一ヤスデ返し用の曲面部１４を通過してしまいそうな場合を想定して、必要に応じて、ニクロム線２６を付加的に設けることが好ましい。ヤスデ２０は、ニクロム線２６による熱又は電気付与の刺激で符号３０で示すように丸くなって落ちる。あくまでもヤンバルトサカヤスデの侵入防止のためにニクロム線２６を設けるので、殺すことを目的とするような強力な電流は必要としない。乾電池の使用によって微弱電流を発生させるだけでもよい。
【００３０】
また、帯状の平面部１２の裏面に粘着剤３２を設けるのが好ましい。その粘着剤３２によって帯状の平面部１２を基礎部１８の壁面に固定する。とくに、帯状の平面部１２が家屋１６の基礎部１８の外側壁面の全周にわたって配置されることが好ましい。
【００３１】
図３に例示するように、使用前のヤスデ返し器具１０は、帯状の平面部１２とヤスデ返し用の曲面部１４とが一緒にロール状に巻かれた状態で収納されるのが望ましい。使用の際には、ロール状に巻かれた状態のヤスデ返し器具１０を必要な長さだけ解放して取り出して切断することができる。
【符号の説明】
【００３２】
１０  ヤスデ返し器具
１２  平面部
１２ａ  上側エッジ
１２ｂ  下側エッジ
１４  曲面部
１６  家屋
１８  基礎部
２０、３０  ヤスデ
２２  外壁
２４  ステンレス板
２６  ニクロム線
３２  粘着剤
【図１】
0003166959.tif 000003
【図２】
0003166959.tif 000004
【図３】
0003166959.tif 000005